(57)【要約】【課題】シートの間にポスターを挟んで展示するポスターボードにおいて、簡単な操作でポスターを取り付けることができ、繰り返し使用しても当初の吸着力を維持して見栄え良く展示できるようにする。【解決手段】透光性を有する第１のシート（２）と第２のシート（３）の一側を接着部（４）で接着するとともに、互いに重なり合う第１のシート（２）の下面又は第２のシート（３）の上面にシリコーン粘着剤層（５）を設けて剥離可能に粘着して閉じ合わさるようにし、両シート（２，３）の接着された一の側辺を挟んで対向する両側辺の縁部にシート内方へ凹んだ窪み部（９，９）をそれぞれ形成する。第２のシート（３）の下面にもシリコーン粘着剤層（５）を設け、その表面を保護シート（８）で覆う。【選択図】図２
2014235257.tif 000002
【特許請求の範囲】
【請求項１】
方形に裁断された透光性を有する第１のシート（２）と第２のシート（３）が重ね合わさり、両シートの四側辺の内の一の側辺同士が当該側辺に沿って帯状に設けられた接着部（４）で接着され、両シート（２，３）の非接着の他の側辺を捲って両シート（２，３）間に差し入れたポスターを両シート（２，３）で挟んで保持するポスターボード（１）において、
第１のシート（２）と第２のシート（３）は、互いに重なり合う第１のシート（２）の下面又は第２のシート（３）の上面にシリコーン粘着剤層（５）が設けられて剥離可能に粘着して閉じ合わさるように設けられ、
両シート（２，３）の接着された前記一の側辺を挟んで対向する両側辺の縁部であって当該接着された一の側辺近傍の縁部にシート内方へ凹んだ窪み部（９，９）がそれぞれ形成されているとともに、
第２のシート（３）の下面にシリコーン粘着剤層（５）が設けられ、且つ当該シリコーン粘着剤層（５）の表面が保護シート（８）で覆われた構成を有することを特徴とするポスターボード。
【請求項２】
第２のシート（３）の上面に、その一の側辺に沿って非重合代（３１）を確保して第１のシート（２）が重ね合わさり、帯状の第３のシート（６）を前記第２のシート（３）の非重合代（３１）から第１のシート（２）の上面に亘り接着して両シート（２，３）の一の側辺が接着された構成を有することを特徴とする請求項１に記載のポスターボード。
【請求項３】
第２のシート（３）の接着された前記一の側辺に対向する他の側辺と、これを挟んで対向する第２のシートの両側辺との交差部である両隅角部の両方又は片方に、切り欠け部（１０）を設けた構成を有することを特徴とする請求項１又は２に記載のポスターボード。
【発明の詳細な説明】
【技術分野】
【０００１】
本発明は、表面に文字や画像などの情報が表示されたポスターやチラシなどの情報表示札（以下、「ポスター」と総称する。）を支持し、屋内外の壁面やガラス面などに取り付けて展示したり掲示したりするために用いられるポスターボードに関する。
【背景技術】
【０００２】
コンビニエンスストアでは、その店で実施しているキャンペーンやイベント、お勧めの商品などに関する情報を来店した顧客に告知するため、前記情報を表示したポスターを、店内の壁面や、駐車場や駐輪場に面した窓ガラス或いは入口のガラス面などに取り付けている。
【０００３】
この場合、片面粘着テープや両面粘着テープを用いて壁面などの取り付け面に直にポスターを取り付けると、ポスターを取り去る際に取り付け面に貼り付いた粘着テープの除去に手間がかかり、粘着剤がこびり付いたままとなって取り付け面を汚してしまうことがある。また、ポスターの取り付けを行う店員によって、取り付け位置（高さ）が異なったり斜めにずれたりしやすく、その店の責任者がポスターを貼り直して取り付け位置を揃えることも多い。
【０００４】
このようなポスターの取り付けに要する煩雑な手間を解消するため、透明なシートの間にポスターを挟んで支持するポスターボードを窓ガラスなどの取り付け面に取り付けておき、これにポスターを支持させることで、粘着テープを用いずにポスターを所定の位置に掲示することが行われている。
【０００５】
従来のポスターボードとしては、例えば透明なプラスチック板からなる基材シートに軟質な保護シートを重ね合わせ、両シートの間に挟み入れたポスターを静電気により吸着して保持する構成のものが知られている。
また、図８に示されるように、表裏両面に粘着剤層１００ａ，１００ｂが設けられた基材シート１００と、基材シート１００の表面を覆う防護シート１０１とを備え、ポスター１０２を基材シート１００の表面に貼り付け、且つこれを基材シート１００と防護フィルム１０１で挟み込んで保持する構成のものが知られている（例えば特許文献１参照）。
【先行技術文献】
【特許文献】
【０００６】
【特許文献１】特開平１１−３２７４７７号公報
【発明の概要】
【発明が解決しようとする課題】
【０００７】
従来のポスターボードの内、ポスターを静電気により吸着する構成のものは、ポスターボードが風を受けたときに基材シートから保護シートが捲れ上がって両シートに挟まれていたポスターが脱落しやすく、また、湿度が高くて静電気が起きにくいときには吸着力が弱まってポスターを保持できないという実用上の問題があった。
【０００８】
前記図８に示された構成のものは、基材シート１００と防護シート１０１の間にポスター１０２を粘着させて安定的に保持できるものの、防護シート１０１全体が基材シート１００から剥離して分離するように、基材シート１００と防護シート１０１を別体に設けてあることから、両シートの間にポスター１０２を挟み込む際に、展示状態の見栄え良くするため、ポスター１０２が装着された基材シート１００の周辺と防護シート１０１の周辺とがぴったり揃うように、基材シート１００に対する防護シート１０１の重ね合わせ位置を調節する必要があり、位置合せの作業が面倒でポスター１０２の取り付け操作に手間を要していた。
また、基材シート１００と防護シート１０１が別体であるため、必然的に防護シート１０１を基材シート１００から剥離し、両シートを分離した状態で別々に管理したり取り扱ったりする機会が多くなり、基材シート１００表面の粘着剤層１００ａを露出させたままにして、粘着剤層１００ａに塵埃を付着させて粘着力を低下させたり、或いは分離した防護シート１０１を取り扱う際にシートに折れや皺を生じさせて基材シート１００との密着性を悪化させ、両シート間の吸着力を低下させたりしやすく、これら粘着力や吸着力の低下により両シート間に挟まれたポスター１０２を脱落させる事態を生じさせてしまい、ポスターボードを繰り返して使用することができないという実用上の問題があった。
ポスター１０２を取り付ける際の操作性を改善し、粘着剤層１００ａの粘着力やシート間の吸着力を当初のものに保持してポスターボードを繰り返して使用できるようにするには、基材シート１００に防護シート１０１が分離不能に一体に設けられていることが望ましい。
【０００９】
本発明は従来の技術の有するこのような問題点に鑑み、重ね合わせたシートの間にポスターを挟んで展示するポスターボードにおいて、簡単な操作でポスターを取り付けることができ、ポスターを交換して繰り返し使用しても当初の吸着力を維持して、シート内にポスターを確実且つ安定的に保持して見栄え良く展示できるようにすることを課題とする。
【課題を解決するための手段】
【００１０】
前記課題を解決するため本発明は、方形に裁断された透光性を有する第１のシートと第２のシートが重ね合わさり、両シートの四側辺の内の一の側辺同士が当該側辺に沿って帯状に設けられた接着部で接着され、両シートの非接着の他の側辺を捲って両シート間に差し入れたポスターを両シートで挟んで保持するポスターボードにおいて、
第１のシートと第２のシートは、互いに重なり合う第１のシートの下面又は第２のシートの上面にシリコーン粘着剤が設けられて剥離可能に粘着して閉じ合わさるように設けられ、
両シートの接着された前記一の側辺を挟んで対向する両側辺の縁部であって当該接着された一の側辺近傍の縁部にシート内方へ凹んだ窪み部がそれぞれ形成されているとともに、
第２のシートの下面にシリコーン粘着剤層が設けられ、且つ当該シリコーン粘着剤層の表面が保護シートで覆われた構成を有することを特徴とする。
【００１１】
本発明によれば、保護シートを剥してシリコーン粘着剤層が露出した第２のシートの下面側を、壁面やガラス面などの取り付け面に押し付けてポスターボードを貼り付け、第１のシートを第２のシートから捲り上げて第２のシートの上面にポスターを設置し、その上から第１のシートを重ねて両シートを閉じ合せて両シート間にポスターを保持することにより、ポスターが取り付け面に取り付けられる。
【００１２】
これによれば、前記第１のシートを捲り上げて第１，第２のシート間に差し込むだけでポスターを取り付けることができるとともに、第１のシートと第２のシートは一側の端部に設けられた接着部で一体に接着されており、ポスターを取り付ける際に、第１のシートを捲り上げてポスターを差し込んだ後、第１のシートをそのまま第２のシートに被せれば、両シートを互いの周辺部を揃えて綺麗に閉じ合わせることができるので、両シートを別体に形成した従来のポスターボードの如きシートを閉じ合せる際の位置合せは不要であり、粘着テープなどの固定手段を用いることなく、シートを開閉するという簡単な操作でポスターを取り付けることができる。
第１のシートと第２のシートが一側の端部に設けた接着部で綴じあわせて分離不能に形成されており、両シート間にポスターを差し込むときを除いて両シートは重ね合わせた状態で取り扱われるので、分離して取り扱われることによるシートの折れや皺はでき難く、両シートの当初の密着性を保持してシート間の吸着力が低下するようなことはない。両シート間に設けたシリコーン粘着剤層が露出した状態となる機会が少ないので、シリコーン粘着剤層に塵埃が付着して粘着力を低下させる虞もない。
【００１３】
また、例えば一端部が重合接着して重なった二枚のシートの一方を摘んで捲り上げた場合に、シートを引っ張る力が接着部で重合したシート同士を引き剥がす方向に作用し、前記一方のシートに沿って接着部に切れ目が生じて接着していたシートが剥がれることがある。
本発明のポスターボードでは、第１，第２のシートの接着された側辺を挟んで対向する両側辺の縁部にシート内方へ凹んだ窪み部をそれぞれ形成してあるので、第１のシートを捲り上げた際に当該シートの縁部を摘んで引っ張る力の方向が窪み部で変換されて、シートを引っ張る力が接着部で上下に接着した両シートの端部同士を引き剥がすようには作用せず、シートの捲り上げによる接着部の破損が生じ難い構造としてある。これにより、第１のシートの捲り上げと閉じ合せを繰り返しても接着部で第１のシートが剥がれるようなことはなく、第１，第２のシートが接着部で一体に接着された形態を維持して、ポスターボードを繰り返して使用することができる。
【００１４】
また、第１，第２のシート間と第２のシートの下面とにシリコーン粘着剤層がそれぞれ設けられており、両シート間に差し込まれたポスター及びポスターを挟んで重なる両シートがシリコーン粘着剤層に粘着して固定され、また、第２のシートの下面を取り付け面にシリコーン粘着剤層を介し粘着してポスターボードが固定されるので、窓ガラスなどに取り付けられたポスターボードが風を受けたとしでも、第１のシートが捲れ上がってポスターが脱落したり取り付け面からポスターボードが捲れたりするようなことはなく、両シートで挟んだポスターを確実に保持して取り付け面に固定することができる。
シリコーン粘着剤は、透明なためポスターの視認性を低下させるようなことはなく、また、再剥離性が良好で着脱を繰り返しても粘着力の低下が少ないので、第１，第２のシートの間に差し込むポスターを交換するなどして、ポスターボードを繰り返し使用することが可能である。また、シリコーン粘着剤は、その粘着度が弱粘着であるため、両シート間のポスターの位置や、取り付け面へのポスターボードの位置を容易に変えることが可能である。シリコーン粘着剤の表面に塵埃が付着した場合、ポスターボードを水洗いして塵埃を除去すれば、当初の粘着力に回復させることができる。
【００１５】
前記構成のポスターボードにおいて、第２のシートの上面に、その一の側辺に沿って非重合代を確保して第１のシートが重ね合わさり、帯状の第３のシートを前記第２のシートの非重合代から第１のシートの上面に亘り接着して両シートの一の側辺が接着された構成を有することが好ましい。
このように接着部が構成されていれば、第１，第２のシートを重ね合わせたときに、第２のシートの上面に第１のシートの下面が隙間なく密着して面一に重なるため、シリコーン粘着剤層を介した両シートの吸着力が高まり、閉じ合わさった両シートでポスター挟んで安定的に固定することができる。
【００１６】
また、前記構成のポスターボードにおいて、第１のシートを捲り上げる際に、その端部を指で摘みやすくするため、第２のシートの接着された前記一の側辺に対向する他の側辺と、これを挟んで対向する第２のシートの両側辺との交差部である両隅角部の両方又は片方に、切り欠け部を設けた構成を有することが好ましい。
【００１７】
前記構成のポスターボードにおいて、第１のシートと第２のシート、さらに接着部を構成する帯状の第３のシートは、透光性を有するプラスチックシート、好ましくは薄肉で可撓性を有する透明なプラスチックシート、例えば厚み２００μｍ以下のＰＥＴ製シートを用いて形成することができる。第２のシートの下面に貼り付ける保護シートは、第２のシートと同材質で、同じ厚みかそれよりも薄いプラスチックシートを用いることができる。
また、第１のシート又は第２のシートの表面に設けるシリコーン粘着剤層は、シリコーン粘着剤を適宜な厚みに塗布して形成することができる。シリコーン粘着剤に代えて、アクリル樹脂系やウレタン樹脂系の他の再剥離型粘着剤を用いることもできるが、耐候性が良好な点及び変色し難い点などでシリコーン粘着剤の利用が好ましい。第１のシートと第２のシートを接着する接着剤は、アクリル樹脂系の接着剤などを用いることができる。
本発明のポスターボードは、取り付けるポスターの大きさに応じて適宜なサイズ、例えばＡ５，Ｂ５サイズからＡ１，Ｂ１以上のサイズに形成することができる。ポスターボードは透明なシートを用いて全体を透明に形成する他、半透明や有色透明のシートを用いて形成したり、ポスターが取り付けられる部分を透明、その他の部分を不透明としたシートを用いて形成したりしてもよい。
【図面の簡単な説明】
【００１８】
【図１】本発明の一実施形態のポスターボートの外観図である。
【図２】図１のポスターボードの構成部材を展開した状態の斜視図である。
【図３】（Ａ）は図１のポスターボードの構成部材を展開した状態の要部拡大断面図、（Ｂ）は図１のポスターボードの要部拡大断面図である。
【図４】（Ａ）は図１のポスターボードの窪み部の拡大図、（Ｂ）は窪み部の他の形態の拡大図である。
【図５】図１のポスターボードの第２のシートに設けた切り欠け部の拡大図である。
【図６】（Ａ）〜（Ｄ）は図１のポスターボードの使用手順を説明するための図である。
【図７】（Ａ），（Ｂ）はそれぞれ本発明の他の実施形態のポスターボートの外観図である。
【図８】従来のポスターボードの構成を示す外観図である。
【発明を実施するための形態】
【００１９】
本発明の好適な実施形態を、図面を参照して説明する。
図１は本発明の一実施形態のポスターボードの外観図、図２は構成部材を展開した斜視図であり、両図に示されるように、このポスターボード１は、透明なプラスチックシートからなる第１のシート２と第２のシート３を重ね合わせて平面視矩形状に形成されており、両シート２，３の四側辺の内の一側の短手側辺２ａ，３ａ同士を両辺に沿って帯状に設けられた接着部４で接着し、且つ両シート２，３の他の側辺２ｂ，３ｂ、側辺２ｃ，３ｃ及び側辺２ｄ，４ｄは非接着として、これらの非接着の何れかの側辺を捲って閉じ合った両シート２，３を開いてポスターを差し入れ、その後、両シート２，３を再び閉じ合せることにより、ポスターを両シート２，３で挟み込んで差し入れた位置に保持することができるように構成してある。
【００２０】
詳しくは、図３に示されるように、第１のシート２と第２のシート３は、ともに１８８μｍ程度の厚みの可撓性を有するＰＥＴ製のシートからなり、それぞれ短手方向を同寸法に、長手方向を第１のシート２よりも第２のシート３の方を大きな寸法に設けて平面視矩形状に形成してある。
また、第１のシート２の下面と第２のシート３の下面には、それぞれ再剥離型粘着剤であるシリコーン粘着剤を全面に塗布してなるシリコーン粘着剤層５，５を設けてある。
【００２１】
第１のシート２と第２のシート３を一体に接着する接着部４は、両シート２，３の側辺２ａ，３ａに沿って、帯状の第３のシート６を接着して構成してある。
すなわち、第３のシート６は、第１，第２のシート２，３と同じ厚みのＰＥＴ製のシートからなり、その下面全体に接着剤７を塗布して形成してあり、この第３のシート６を、図３に示されるように、第１のシート２の側辺２ｄと第２のシート３の側辺３ｄとを揃えて第２のシート３の上面に第１のシート２を重ね合せた状態で、第１のシート２の側辺２ａと第２のシート３の側辺３ａとの間に表出する、第１のシート２が重なっていない非重合代３１と、前記第１のシート２の側辺２ａ側の上面とに亘って重ねて接着することで、第１のシート２と第２のシート３の両側辺２ａ，３ａを第３のシート６により接着一体化させてある。
接着部４で側辺２ａ，３ａが接着一体化された第１，第２のシート２，３は、図３（Ｂ）に示されるように、第２のシート３の上面に第１のシート２の下面が隙間なく密着して面一に重なり、且つ第１のシート２の下面に設けられたシリコーン粘着剤層５により、両シート２，３が互いに吸着してシート間を閉じ合わすようになっている。
また、第２のシート３の下面に設けたシリコーン粘着剤層５には、その表面に当該シート３よりも薄いＰＥＴ製の保護シート８を貼り付けてシリコーン粘着剤層５の表面を覆ってある。
【００２２】
また、第１，第２のシート２，３の接着された側辺２ａ，３ａを挟んで対向する両側辺２ｂ，３ｂ，２ｃ，３ｃの各縁部には、接着部４により接着された前記側辺２ａ，３ａの近傍の位置に、前記各側辺の縁部をシート内方へ凹ませた窪み部９，９を形成してある。
詳しくは、図４（Ａ）に示されるように、窪み部９，９は、上下に重なった第１，第２のシート２，３の側辺２ｂ，３ｂと側辺２ｃ，３ｃの縁部であって、第３のシート６と第１のシート２とが重なった部分を、湾曲した略々Ｕ字形の輪郭に打抜いて形成された部分であり、この窪み部９，９により、第２のシート３の上面から第１のシート２を捲り上げた際に作用する第１のシート２を引っ張る力の方向が変換されて、シートの捲り上げによる接着部４の破損が防止されるようになっている。窪み部９，９は、図４（Ｂ）に示されるような半円形の輪郭に両シート２，３の縁部を打抜いて形成してもよい。
【００２３】
また、第２のシート３の接着された側辺３ａに対向する短手側辺３ｄと、これを挟んで対向する両長手側辺３ｂ，３ｃとの交差部である両隅角部には、図５に示されるように、第１のシート２を捲り上げる際に、その端部を指で摘みやすくするための切り欠け部１０，１０を設けてある。
【００２４】
このように構成された本形態のポスターボード１は、これを図６に示されるように操作して、壁や窓ガラスなどの取り付け面にポスターを取り付けることができる。
すなわち、先ず、同図（Ａ）に示されるように、保護シート８を第２のシート３の下面から剥してシリコーン粘着剤層５を露出させる。
次いで、同図（Ｂ）に示されるように、ポスターの取り付け面１１に、前記シリコーン粘着剤層５が露出した第２のシート３の下面側を押し付けてポスターボード１を貼り付ける。この際、取り付け面１１の表面は、予め塵埃を拭き取っておくことが好ましい。ポスターボード１は、取り付け面１１の表面に沿うように重ねれば簡単に吸着して貼り付けることができ、貼り直しや位置の調整も可能である。
そして、同図（Ｃ）に示されるように、第１のシート２を第２のシート３の上面から捲り上げ、大きく開いた両シート２，３間にポスター１２を差し込み、その上から捲り上げた第１のシート２を重ねて両シート２，３を閉じ合せれば、同図（Ｄ）に示されるように、両シート２，３間にポスター１２が保持されて、ポスター１２が取り付け面１１に取り付けられる。
ポスター１２を交換するときは、前記のように第１のシート２を捲り上げた状態で、設置されていたポスター１２を第２のシート３から剥がし、代わりのポスター１２を両シート２，３間に差し込めばよい。ポスター１２の交換や貼り直しも何度でも可能である。
【００２５】
なお、図示したポスターボード１の構成は一例であり、本発明はこれに限定されず、他の適宜な形態で構成することが可能である。
例えば前記図１に示されたポスターボード１は、矩形に裁断して重ねた第１，第２のシート２，３の一側の短手側辺２ａ，３ａに沿って接着したが、図７（Ａ）に示されるように、一側の長手側辺２ｂ，３ｂに沿って接着して構成してもよい。また、同図（Ｂ）に示されるように、ポスターが保持される部分１ａのみを透明部とし、その他の部分を不透明にしたり着色したりして構成してもよい。
第１，第２のシート２，３間のシリコーン粘着剤層５は、第２のシート３の上面の側に設けてもよく、また、第２のシート３の両隅角部に切り欠け部１０，１９を設けたが、片方の隅角部のみに設けるようにしてもよい。
【符号の説明】
【００２６】
１  ポスターボード、２  第１のシート、３  第２のシート、４  接着部、５  シリコーン粘着剤層、６  第３のシート、７  接着部、８  保護シート、９  窪み部、１０  切り欠け部、１１  取り付け面、１２  ポスター
【図１】
2014235257.tif 000003
【図２】
2014235257.tif 000004
【図３】
2014235257.tif 000005
【図４】
2014235257.tif 000006
【図５】
2014235257.tif 000007
【図６】
2014235257.tif 000008
【図７】
2014235257.tif 000009
【図８】
2014235257.tif 000010